(57)【要約】      （修正有）【課題】コンピューター本体のドライブをスライドし、移動固定するネジ不要の固定部品構造を提供する。【解決手段】定位板、スライド台、バネ、キャップからなる。定位板は、コンピューター本体のサイドフレームの長孔の位置に設置され、長貫通孔を備える長形凸台を設ける。スライド台は定位板を通過して設置され、底台と嵌部からなり、嵌部を底台上に設置し、底台の両側上方には定位板の凸台の長貫通孔に対応する嵌凸を設け、その中央には中台を設け、その両外側にはガイドスライド面を備える外弾部を設置する。バネの一端はスライド台の嵌部に嵌め、キャップはスライド台の嵌部外側及びバネ反対端に設置し、その内部には凹部を設け、凹部内には端部にネジヤマ部を備える軸棒を設置する。キャップの軸棒をスライド台に嵌めて設置する。【選択図】図３
0003163117.tif 000002
【実用新案登録請求の範囲】
【請求項１】
ネジ不要の固定部品構造は、定位板、スライド台、バネ、キャップからなり、
前記定位板は、コンピューター本体のサイドフレームの長孔位置に設置し、その中央には、長形凸台を設置し、該長形凸台中央には、長貫通孔を設置し、
前記スライド台は、前記定位板を通過して嵌めて設置し、
前記スライド台は、底台、嵌部からなり、底台の中央には底孔を設置し、しかも前記定位板の凸台に対応し、底台の両側上方には定位板の凸台の長貫通孔に対応する嵌凸を設置し、対称錐状体である嵌部は、前記定位板の凸台上に設置し、その中央には、中空内部を備えるＵ型中台を設置し、該中台上方には、錐状分離挟孔を設置し、しかも該挟孔は該嵌部内の中空内部及び該底台の底孔と通じ、該中台の両側には外側に傾斜状ガイドスライド面を具える外弾部を設置し、しかもその方向は前記底台の嵌凸と垂直を呈し、
前記バネの一端は前記スライド台の嵌部上に嵌めて設置し、
前記キャップは前記スライド台の嵌部外側で前記バネの反対端に設置し、該キャップ内には錐形状の凹部を設置し、該凹部内には端部にネジヤマ部を備える軸棒を設置し、該軸棒は前記スライド台の嵌部の中空内部に嵌めて設置したことを特徴とするネジ不要の固定部品構造。
【請求項２】
前記スライド台の底台と前記嵌部との間には、スライド槽を設置したことを特徴とする請求項１に記載のネジ不要の固定部品構造。
【請求項３】
前記外弾部は、前記中台の両外側上方から下方へと、両側に延伸して傾斜したことを特徴とする請求項１に記載のネジ不要の固定部品構造。
【考案の詳細な説明】
【技術分野】
【０００１】
本考案はネジ不要の固定部品構造に関し、特に工具を使用する必要なく、コンピューター本体のドライブをスライドし、所定の位置に固定することができるネジ不要の固定部品構造に関する。
【背景技術】
【０００２】
従来のコンピューターの構造の立体分解図、組合せ立体図である図１、２に示すように、一般のコンピューターはドライブ１と結合するため、コンピューター本体２のサイドフレーム２１上に、突出したサポートフレーム２２をそれぞれ設置する。
サポートフレーム２２上には、一組或いは二組の長孔２３を設置する。サポートフレーム２２は、ドライブ１（光ディスクドライブ、ハードディスクドライブ、ソフトディスクドライブ等）を支え、その落下を回避することができる。このサポートフレーム２２上には、複数の長孔２３を設置する。
【０００３】
その組み立て時には、先ずドライブ１を、サイドフレーム２１のサポートフレーム２２上に挿入し、これによりドライブ１は、前後移動が可能となる。
最適位置に到達すると、ネジ１２をサイドフレーム２１の長孔２３に通し、次に、ドライブ１側面のネジ孔１１と螺合する。こうして、ドライブ１を、サイドフレーム２１の長孔２３位置に固定することができる。
【０００４】
しかし、従来の構造では、その組み立て時に、ネジ１２を緩め、或いは締めるため、工具として特定のドライバーをわざわざ用意しなければならない。
また、コンピューター本体２内部の空間は非常に狭いため、工具が入らず、ドライブ１の取り外し、或いは固定ができないという状況が発生し易い。
また、無理に斜めに力を入れて螺合することで、滑り、使用者が怪我をし易く、或いは、受ける力が不均一であることで、ネジ１２の頭部はが破損し、ドライブ１を取り外しできない、或いは安定的にサイドフレーム２１上に固定できないという不都合も起こる。
また、従来の構造に使用するネジ１２は、非常に微小であるため、わずかな不注意で、ネジ１２が、コンピューター本体２内部、或いはそのコンピューター本体板内に落下し、ネジ１２が遺失し、或いはコンピューター本体２がショートしてしまうという恐れがある。
【先行技術文献】
【特許文献】
【０００５】
【特許文献１】特開２００３−１８７５１１
【考案の概要】
【考案が解決しようとする課題】
【０００６】
本考案が解決しようとする課題は、従来の構造の欠点に鑑み、一切の工具が不要で、迅速、直接にドライブ１を、コンピューター本体２のサイドフレーム２１に螺合して固定することができ、ネジ不要の固定部品構造を提供するものである。
【課題を解決するための手段】
【０００７】
上記課題を解決するため、本考案は下記のネジ不要の固定部品構造を提供する。
ネジ不要の固定部品構造は、定位板、スライド台、バネ、キャップからなり、前記定位板は、コンピューター本体のサイドフレームの長孔位置に設置し、その中央には、長形凸台を設置し、該凸台中央には、長貫通孔を設置し、
前記スライド台は、該定位板を通過して設置し、該スライド台は、底台、嵌部からなり、該底台中央には、底孔を設置し、その両側上方には、該定位板の凸台に対応する嵌凸を設置し、対称を呈する嵌部は、該底台上方に突出状に設置し、その中央には、中空内部を備えるＵ型中台を設置し、該中台上方には、該中空内部及び該底孔と通じる錐状挟孔を設置し、該中台両外側には、ガイドスライド面を備える外弾部を設置し、
前記バネは、圧縮バネで、その一端は、該スライド台の嵌部上に嵌めて設置し、
前記キャップは、該スライド台の嵌部外側及びバネ反対端に設置し、それは内部に凹部を設置する錐形状を呈し、該凹部内には、端部にネジヤマ部を備える軸棒を設置し、該軸棒は、該スライド台の嵌部の中空内部に嵌めて設置する。
【考案の効果】
【０００８】
本考案のネジ不要の固定部品構造は、工具及びネジを使用する必要なく、キャップの軸棒をスライド台に通して嵌めることで、嵌部及びコンピューター本体のサイドフレーム内に設置するドライブ側面のネジ孔を、迅速に螺合して緊密に設置し、或いは緩めることができる。
【図面の簡単な説明】
【０００９】
【図１】従来の構造の立体分解図である。
【図２】従来の構造の組合せ立体図である。
【図３】本考案の立体分解図である。
【図４】本考案の立体組合せ図である。
【図５】本考案の組合せ断面図である。
【図６】本考案とその側板及びドライブとの作用立体図である。
【図７】本考案とドライブとの作用立体分解図である。
【図８】本考案とドライブとの作用立体組合せ図である。
【考案を実施するための形態】
【００１０】
以下に図面を参照しながら、本考案のコンピューター本体のドライブをスライド、所定の位置に固定するネジ不要の固定部品構造を実施するための最良の形態について詳細に説明する。
【実施例】
【００１１】
本考案の立体分解図、立体組合せ図、組合せ断面図である図３乃至図６に示すように、本考案のネジ不要の固定部品構造は、定位板３、スライド台６、バネ５、キャップ４からなる。
コンピューター本体２の所定の位置に定位されている前記定位板３は、コンピューター本体２のサイドフレーム２１の長孔２３位置に設置し、該定位板３中央には、長形凸台３１を設置し、しかもその中央には、長貫通孔３２を設置する。
前記スライド台６は、該定位板３上を通過して設置する。
前記スライド台６は、底台６０、嵌部６００からなり、該底台６０の形状は、該定位板３の凸台３１に対応し、これにより該凸台３１上においてスライド動が可能である。
前記底台６０中央には、底孔６４を設置し、その両側上方には、嵌凸６１を設置し、定位板３の凸台３１の中央長貫通孔３２に対応する。
【００１２】
こうして、該底台６０は、該定位板３の凸台３１上において偏り滑り移動することがなくなる。
また、対称を呈し、しかも上部が小さく下部が大きい錐状体である嵌部６００を該底台６０上方に設置し、その側面には、スライド槽６０４を形成する。
【００１３】
前記嵌部６００は、該定位板３の凸台３１の長貫通孔３２を通過させて設置し、これにより該嵌部６００は、該定位板３の凸台３１の上方に突出して設置される。
該嵌部６００中央には、中空内部６３を備えるＵ型中台６０１を設置し、該中台６０１上方には、分離錐状の挟孔６２を設置する。
該挟孔６２は、該嵌部６００内部の中空内部６３及び該底台６０の底孔６４と相互に通じる。
【００１４】
前記中台６０１両外側は、上方から下方へ向い、両側に外弾部６０２を延伸して傾斜状に設置する。
該外弾部６０２の方向は、該底台６０の嵌凸６１と、垂直を呈する。
該嵌部６００を、該定位板３の凸台３１の長貫通孔３２から省力しながら通過させられるよう、該外弾部６０２外側には、傾斜状のガイドスライド面６０３を設置する。
前記バネ５は、圧縮バネで、その一端は、該スライド台６の嵌部６００上に嵌めて設置する。
【００１５】
前記キャップ４は、該スライド台６の嵌部６００外側で該バネ５の反対端に設置する。
該キャップ４内には、該スライド台６の嵌部６００と作用する錐形状を呈する凹部４０を設置する。
該凹部４０内には、端部にネジヤマ部４２を備える軸棒４１を設置する。
該軸棒４１は、該スライド台６の嵌部６００の挟孔６２、中空内部６３、及び該底台６０の底孔６４に通して設置することができる。
【００１６】
図５乃至図８は、本考案の実施例のネジ不要の固定部品構造おけるコンピューター本体の側板及びドライブとの作用立体図、同ドライブとの作用立体分解図、同ドライブとの作用立体組合せ図である。
図５乃至図８に示すように、本実施例のネジ不要の固定部品構造おいて、コンピューター本体２のサイドフレーム２１のネジ孔１１を破壊することがなく、コンピューター本体２のサイドフレーム１１に直接組立てることができ、しかも該サポートフレーム２２上方の長孔２３上に位置する。
【００１７】
前記スライド台６の底台６０は、該定位板３の凸台３１底部に設置し、スライド移動が可能である。
該スライド台６上方の嵌部６００を、該凸台３１に設置しようとする時には、該嵌部６００の外向きに傾斜する外弾部６０２には、傾斜ガイドスライド面６０３を設置し、しかも上部が小さく下部が大きい錐形状の嵌部６００の上方幅は、該長貫通孔３２より小さく、下方幅は長貫通孔３２より大きいため、該嵌部６００は、非常に容易に、該長貫通孔３２を通して設置することができる。
【００１８】
該嵌部６００(図５)下方が、該長貫通孔３２を通過すると、該外弾部６０２の構造は、圧迫を受け収縮する。
該外弾部６０２底部は、該長貫通孔３２を通過後、もとの位置を回復する。
該外弾部６０２底部は、該凸台３１の長貫通孔３２の外側に嵌って止まり、該底台６０両側の嵌凸６１は、該長貫通孔３２上に嵌って止まり、こうして位置が偏ることなくスライドを行うことができる。
該スライド台６の嵌部６００は、該外弾部６０２底部の幅が該長貫通孔３２より大きいことで、該スライド台６は、該嵌部６００と該底台６０間に構成するスライド槽６０４及び該定位板３の凸台３１の作用を受け、しかもその間で係合されるため、安定的にスライド移動する。
【００１９】
前記キャップ４は、該スライド台６の嵌部６００上に被さり設置され、該キャップ４中央には、端部にネジヤマ部４２を備える軸棒４１(図５)を設置するため、該キャップ４を、該スライド台６と嵌めて設置しようとする場合には、該軸棒４１を、該嵌部６００上方の錐状挟孔６２に挿入するだけで良い。
該挟孔６２は、上部が大きく下部が小さい錐状孔を呈し、しかもＵ型を呈する中台６０１は分かれ弾性を備える一対の対応側を呈し、該上方の直径は、該ネジヤマ部４２より大きく、下方の直径は、該ネジヤマ部４２より小さく、しかも該軸棒４１より大きい。
【００２０】
そのため、該キャップ４を、該スライド台６に嵌めようとする時には、先ず、該ネジヤマ部４２は、該錐状孔の挟孔６２を作用させ、該軸棒４１端部のネジヤマ部４２が該挟孔６２を通過し、もとの形状を回復するまで、該Ｕ型中台６０１は開かれる。
この時には、直径が該軸棒４１より大きいネジヤマ部４２は、該嵌部６００の中空内部６３に進入し、ロックを待つ状態に固定される。
該バネ５は、該スライド台６と該キャップ４との間に設置され、該軸棒４１が、該ドライブ１と作用する前には、該圧縮バネ５により、該キャップ４を上方へと押し上げる。
【００２１】
これにより、該軸棒４１のネジヤマ部４２は、該中空内部６３の頂端に設置され、さらに該ネジヤマ部４２の直径は、該嵌座６００の錐状挟孔６２下方孔より大きいため、該ネジヤマ部４２は、該挟孔６２を離脱することはない。
本考案の使用時には、該キャップ４により直接下圧するだけで良い。
【００２２】
この時、該バネ５は圧縮され下圧すると同時に、該軸棒４１のネジヤマ部４２は、該底台６０の底孔６４を通過し、さらにコンピューター本体２のサイドフレーム２１の長孔２３に設置される。
よって、該ネジヤマ部４２は、該ドライブ１側面のネジ孔１１と直接螺合され、錐状の該キャップ４は、その錐状を呈する凹部４０により、該スライド台６の嵌部６００の外弾部６０２を、内部へと収縮させ、該定位板３の凸台３１上に停止させる。
同時に、該ドライブ１は、該底台６０方向へと惹かれ、しっかりと定位される。
【００２３】
本考案のネジ不要の固定部品構造では、キャップ４を緩めてスライドさせる場合には、反対方向に該キャップ４を回すだけで良い。
これにより、該ネジヤマ部４２は、該ドライブ１のネジ孔１１から離脱し、該キャップ４は、該バネ５の回復力を受け、該軸棒４１と共にもとの位置へと戻る。
【００２４】
これにより、該ネジヤマ部４２は、該嵌部６００の中空内部６３内頂部へと戻り、該スライド台６の嵌部６００の外弾部６０２は、それ以上該スライド台６０を圧迫しない。
よって、該ドライブ１を取出すことができ、或いはそれを緩めるが、該ドライブ１のネジ孔１１から離脱させていない時には、該スライド台６、該バネ５及び該キャップ４は、該ドライブ１の移動に従い、適当な位置までスライドさせることができる。
【００２５】
上記した設計により、本考案のネジ不要の固定部品構造は、工具及びネジを使用する必要なく、キャップ４の軸棒４１をスライド台６に嵌めて設置し、嵌部６００及びコンピューター本体２のサイドフレーム２１内に設置するドライブ１側面のネジ孔１１を、迅速に螺合して設置し、安定的に圧迫し、或いは緩めることができる。
すなわち、本考案はコンピューター本体２のサイドフレーム２１を破壊することがないため、操作及び使用共に非常に便利で、経済的である。
上記の各構成の名称と内容は、本考案の技術内容の説明に用いたのみで、本考案を限定するものではない。本考案の精神に基づく等価応用或いは部品（構造）の転換、置換、数量の増減はすべて、本考案の保護範囲に含むものである。
【産業上の利用可能性】
【００２６】
本考案は実用新案の要件である新規性を備え、従来の同類製品に比べ十分な進歩を有し、実用性が高く、社会のニーズに合致しており、産業上の利用価値は非常に大きい。
【符号の説明】
【００２７】
１    ドライブ
１１  ネジ孔
１２  ネジ
２    コンピューター本体
２１  サイドフレーム
２２  サポートフレーム
２３  長孔
３    定位板
３１  凸台
３２  長貫通孔
４    キャップ
４０  凹部
４１  軸棒
４２  ネジヤマ部
５    バネ
６    スライド台
６０  底台
６００  嵌部
６０１  中台
６０２  外弾部
６０３  ガイドスライド面
６０４  スライド槽
６１  嵌凸
６２  挟孔
６３  中空内部
６４  底孔
【図１】
0003163117.tif 000003
【図２】
0003163117.tif 000004
【図３】
0003163117.tif 000005
【図４】
0003163117.tif 000006
【図５】
0003163117.tif 000007
【図６】
0003163117.tif 000008
【図７】
0003163117.tif 000009
【図８】
0003163117.tif 000010